(57)【要約】【課題】ＡＶ機器間がＩＥＥＥ１３９４とＨＤＭＩなどの２つ以上のインタフェースで接続されたＡＶシステムにおいて、ＣＥＣによる待機状態とし、ＩＥＥＥ１３９４による録画予約機能等を実行する際に、ＣＥＣコマンドにより電源オンできるようにする。【解決手段】レコーダ１０とＴＶ２０はＩＥＥＥ１３９４ケーブル３０とＨＤＭＩケーブル４０を介して接続される。レコーダ１０は、ＩＥＥＥ１３９４に係る回路であるＩＥＥＥ１３９４送受信部１５，ＨＯＳＴ ＣＰＵ１２への電力供給を停止又は制限すると共に、ＨＤＭＩに係る回路であるＣＥＣ Ｉ／Ｆ１４，フロントマイコン１３に電力を供給しながら待機する。レコーダ１０は、ＩＥＥＥ１３９４を使用した録画予約などの機能を実行する際に、ＣＥＣライン４２を介してＴＶ２０から送られてくる電源オンのＣＥＣコマンドを受信することにより、ＩＥＥＥ１３９４に係る回路への電力供給を開始する。【選択図】図２
2008034907.tif 000002
【特許請求の範囲】
【請求項１】
狭帯域伝送路を介して外部機器と接続する第１の接続手段と、広帯域伝送路を介して前記外部機器と接続する第２の接続手段とを備えたＡＶ機器であって、
前記第２の接続手段に係る回路への電力供給を停止又は制限すると共に、前記第１の接続手段に係る回路に電力を供給しながら待機し、前記第２の接続手段を使用した機能を実行する際に、前記第１の接続手段を介して前記外部機器から送られてくる電源オンのコマンドを受信することにより、前記第２の接続手段に係る回路への電力供給を開始することを特徴とするＡＶ機器。
【請求項２】
請求項１に記載のＡＶ機器において、前記第２の接続手段を使用した機能の実行後、前記第１の接続手段を介して前記外部機器から送られてくる電源オフのコマンドを受信した場合、前記第２の接続手段に係る回路への電力供給を停止又は制限すると共に、前記第１の接続手段に係る回路に電力供給し、前記第１の接続手段を介して前記外部機器から送られてくる電源オンのコマンドを監視する待機状態へ移行させることを特徴とするＡＶ機器。
【請求項３】
請求項１又は２に記載のＡＶ機器において、前記第１の接続手段は、ＨＤＭＩ規格に準じた接続を行い、該ＨＤＭＩ規格に基づくＣＥＣコマンドを前記外部機器から受信し、前記第２の接続手段は、ＩＥＥＥ１３９４規格に準じた接続を行い、該ＩＥＥＥ１３９４規格に基づくＡＶＣコマンドを前記外部機器から受信することを特徴とするＡＶ機器。
【請求項４】
狭帯域伝送路を介して外部機器と接続する第１の接続手段と、広帯域伝送路を介して前記外部機器と接続する第２の接続手段とを備えたＡＶ機器であって、
前記外部機器は、前記広帯域伝送路に接続される回路への電力供給を停止又は制限すると共に、前記狭帯域伝送路に接続される回路に電力を供給しながら待機し、前記ＡＶ機器は、前記第２の接続手段を使用した機能を実行する際に、前記第１の接続手段から前記外部機器の電源をオンするためのコマンドを送信することにより、前記外部機器の前記広帯域伝送路に接続される回路への電力供給を開始させることを特徴とするＡＶ機器。
【請求項５】
請求項４に記載のＡＶ機器において、前記第１の接続手段は、ＨＤＭＩ規格に準じた接続を行い、該ＨＤＭＩ規格に基づくＣＥＣコマンドを前記外部機器へ送信し、前記第２の接続手段は、ＩＥＥＥ１３９４規格に準じた接続を行い、該ＩＥＥＥ１３９４規格に基づくＡＶＣコマンドを前記外部機器へ送信することを特徴とするＡＶ機器。
【請求項６】
請求項５に記載のＡＶ機器において、ＣＥＣコマンドを使用して、前記外部機器から、機器の接続位置を示す物理アドレスと、機器の固有情報であるＧＵＩＤを取得し、該取得した物理アドレスとＧＵＩＤを対応付けてメモリに記憶することを特徴とするＡＶ機器。
【請求項７】
請求項６に記載のＡＶ機器において、前記第２の接続手段を使用した機能の実行前に、前記外部機器のＧＵＩＤに対応する物理アドレスが前記メモリに記憶されているかどうかを判定し、物理アドレスが記憶されている場合、前記第１の接続手段から前記外部機器の電源をオンするためのＣＥＣコマンドを送信することを特徴とするＡＶ機器。
【請求項８】
請求項６又は７に記載のＡＶ機器において、前記第２の接続手段を使用した機能の実行後に、前記外部機器のＧＵＩＤに対応する物理アドレスが前記メモリに記憶されているかどうかを判定し、物理アドレスが記憶されている場合、前記第１の接続手段から前記外部機器の電源をオフして待機状態に移行させるためのＣＥＣコマンドを送信することを特徴とするＡＶ機器。
【請求項９】
請求項１乃至８のいずれか１項に記載のＡＶ機器において、前記第２の接続手段を使用した機能は、録画予約機能あるいは電源オン機能であることを特徴とするＡＶ機器。
【請求項１０】
請求項１乃至９のいずれか１項に記載のＡＶ機器において、該ＡＶ機器は録画装置であり、前記外部機器は表示装置であることを特徴とするＡＶ機器。
【請求項１１】
請求項１乃至９のいずれか１項に記載のＡＶ機器において、該ＡＶ機器は表示装置であり、前記外部機器は録画装置であることを特徴とするＡＶ機器。
【請求項１２】
請求項１乃至１１のいずれか１項に記載のＡＶ機器と、該ＡＶ機器のＨＤＭＩ端子とＩＥＥＥ１３９４端子に接続される外部機器とを備えたＡＶシステム。
【請求項１３】
狭帯域伝送路を介して外部機器と接続する第１の接続手段と、広帯域伝送路を介して前記外部機器と接続する第２の接続手段とを備えたＡＶ機器の電力制御方法であって、
前記ＡＶ機器が、前記第２の接続手段に係る回路への電力供給を停止又は制限すると共に、前記第１の接続手段に係る回路に電力を供給しながら待機し、前記第２の接続手段を使用した機能を実行する際に、前記第１の接続手段を介して前記外部機器から送られてくる電源オンのコマンドを受信することにより、前記第２の接続手段に係る回路への電力供給を開始することを特徴とする電力制御方法。
【請求項１４】
請求項１３に記載の電力制御方法において、前記ＡＶ機器が、前記第２の接続手段を使用した機能の実行後、前記第１の接続手段を介して前記外部機器から送られてくる電源オフのコマンドを受信した場合、前記第２の接続手段に係る回路への電力供給を停止又は制限すると共に、前記第１の接続手段に係る回路に電力供給し、前記第１の接続手段を介して前記外部機器から送られてくる電源オンのコマンドを監視する待機状態へ移行させることを特徴とする電力制御方法。
【請求項１５】
請求項１３又は１４に記載の電力制御方法において、前記第１の接続手段は、ＨＤＭＩ規格に準じた接続を行い、該ＨＤＭＩ規格に基づくＣＥＣコマンドを前記外部機器から受信し、前記第２の接続手段は、ＩＥＥＥ１３９４規格に準じた接続を行い、該ＩＥＥＥ１３９４規格に基づくＡＶＣコマンドを前記外部機器から受信することを特徴とする電力制御方法。
【請求項１６】
狭帯域伝送路を介して外部機器と接続する第１の接続手段と、広帯域伝送路を介して前記外部機器と接続する第２の接続手段とを備えたＡＶ機器の電力制御方法であって、
前記外部機器が、前記広帯域伝送路に接続される回路への電力供給を停止又は制限すると共に、前記狭帯域伝送路に接続される回路に電力を供給しながら待機し、前記ＡＶ機器が、前記第２の接続手段を使用した機能を実行する際に、前記第１の接続手段から前記外部機器の電源をオンするためのコマンドを送信することにより、前記外部機器の前記広帯域伝送路に接続される回路への電力供給を開始させることを特徴とする電力制御方法。
【請求項１７】
請求項１６に記載の電力制御方法において、前記第１の接続手段は、ＨＤＭＩ規格に準じた接続を行い、該ＨＤＭＩ規格に基づくＣＥＣコマンドを前記外部機器へ送信し、前記第２の接続手段は、ＩＥＥＥ１３９４規格に準じた接続を行い、該ＩＥＥＥ１３９４規格に基づくＡＶＣコマンドを前記外部機器へ送信することを特徴とする電力制御方法。
【請求項１８】
請求項１７に記載の電力制御方法において、前記ＡＶ機器が、ＣＥＣコマンドを使用して、前記外部機器から、機器の接続位置を示す物理アドレスと、機器の固有情報であるＧＵＩＤを取得し、該取得した物理アドレスとＧＵＩＤを対応付けてメモリに記憶することを特徴とする電力制御方法。
【請求項１９】
請求項１８に記載の電力制御方法において、前記ＡＶ機器が、前記第２の接続手段を使用した機能の実行前に、前記外部機器のＧＵＩＤに対応する物理アドレスが前記メモリに記憶されているかどうかを判定し、物理アドレスが記憶されている場合、前記第１の接続手段から前記外部機器の電源をオンするためのＣＥＣコマンドを送信することを特徴とする電力制御方法。
【請求項２０】
請求項１８又は１９に記載の電力制御方法において、前記ＡＶ機器が、前記第２の接続手段を使用した機能の実行後に、前記外部機器のＧＵＩＤに対応する物理アドレスが前記メモリに記憶されているかどうかを判定し、物理アドレスが記憶されている場合、前記第１の接続手段から前記外部機器の電源をオフして待機状態へ移行させるためのＣＥＣコマンドを送信することを特徴とする電力制御方法。
【請求項２１】
請求項１３乃至２０のいずれか１項に記載の電力制御方法において、前記第２の接続手段を使用した機能は、録画予約機能あるいは電源オン機能であることを特徴とする電力制御方法。
【発明の詳細な説明】
【技術分野】
【０００１】
本発明は、ＡＶ機器、ＡＶシステム、及び電力制御方法、より詳細には、ＨＤＭＩ（High Definition Multimedia Interface）とＩＥＥＥ１３９４などの２つ以上のインタフェースを備えたＡＶ機器、該ＡＶ機器を備えたＡＶシステム、及び電力制御方法に関する。
【背景技術】
【０００２】
従来、ＡＶ機器間をデジタル接続するためのデジタルインタフェースの一つとして、高速シリアルバスであるＩＥＥＥ１３９４が知られている。このＩＥＥＥ１３９４で接続された録画装置は、スタンバイ（待機）状態においても、ＩＥＥＥ１３９４規格に基づくＡＶＣコマンドによる電源オン要求に対応できるように、ＩＥＥＥ１３９４インタフェースの関連回路に通電している。ＩＥＥＥ１３９４の場合、広帯域伝送路が使用され、ＡＶＣコマンドによる制御を実現するための通信プロトコルが複雑であることから、ほとんどの場合メインＣＰＵへの通電も必要となり、待機時消費電力は２０Ｗ程度となる。
【０００３】
従来、ＩＥＥＥ１３９４対応機器の省電力制御に関し、例えば、特許文献１には、ＩＥＥＥ１３９４を使用してカスケード接続されたデバイス間において、専用チップを介在させることにより、各接続デバイスのスタンバイ制御などを実現し、待機消費電力を抑えるようにしたものが開示されている。
【０００４】
また、映像伝送用のデジタルインタフェースとしてＨＤＭＩが普及している。ＨＤＭＩは、ＰＣとディスプレイの接続標準規格であるＤＶＩに音声伝送機能や著作権保護機能を加えて、ＡＶ機器向けにアレンジしたものとなっている。
従来は機器間の接続にビデオ、オーディオ、コントロールの各信号用の複数のケーブルを用いていたが、ＨＤＭＩではケーブル１本で済み、コントロール信号は双方向の伝送に対応しているため、例えばモニタからＨＤＭＩで接続されたＳＴＢやＤＶＤプレーヤ等の出力装置にコントロール信号を中継することによって、一つのリモコンでホームシアタなどのＡＶシステム全体を操作することも可能となる。
【０００５】
このＨＤＭＩが備えるＣＥＣ(Consumer Electronics Control)機能に対応した録画装置において、スタンバイ状態でもＣＥＣの電源オン要求に対応できるようにするために、前述のＩＥＥＥ１３９４と同様、ＣＥＣの関連回路に通電しておく必要がある。しかし、ＣＥＣの場合、狭帯域伝送路が使用され、電気的制御方法も通信プロトコルも簡易な構成であるため、待機時の消費電力が１Ｗ程度で済み、前述のＩＥＥＥ１３９４の２０Ｗ程度と比較して消費電力が大幅に小さくなる。
【特許文献１】特開２００３−４４１８４号公報
【発明の開示】
【発明が解決しようとする課題】
【０００６】
ＩＥＥＥ１３９４による接続の場合、例えば、レコーダのアナログチューナの視聴や、コピーワンス制限のかかったＤＶＤの再生視聴を行えないことがあり、これらの制限を解消するために、ＨＤＭＩ接続を行う必要がある。そこで、テレビとレコーダ間をＩＥＥＥ１３９４とＨＤＭＩの両方を使用して繋ぐ構成とした場合、ＩＥＥＥ１３９４のＡＶＣコマンド機能と、ＨＤＭＩのＣＥＣ機能によってＡＶ機器間の制御が可能となる。
【０００７】
しかしながら、ＩＥＥＥ１３９４とＨＤＭＩの両方で繋いでいても、これらインタフェース間に特別な連携機能は設けられていない。従って、テレビが備えるＩＥＥＥ１３９４録画予約機能や、ＩＥＥＥ１３９４操作パネルなどからの電源オン要求に対応するために、レコーダ側は、スタンバイ状態においても、メインＣＰＵを含むＩＥＥＥ１３９４インタフェースの関連回路に常時通電しておく必要があり、待機時消費電力が大きいという問題があった。
【０００８】
また、上記特許文献１に記載の発明では、ＩＥＥＥ１３９４接続されたデバイスを制御するために専用チップが必要となるため、ハードウェアの構成を変更する必要があるなど、容易に実現できるものではなかった。
【０００９】
本発明は、上述のごとき実情に鑑みてなされたものであり、テレビとレコーダなどのＡＶ機器間がＩＥＥＥ１３９４とＨＤＭＩなどの２つ以上のインタフェースで接続されたＡＶシステムにおいて、消費電力の少ないＣＥＣによる待機状態とし、ＩＥＥＥ１３９４による録画予約機能等を実行する際に、ＣＥＣコマンドにより電源オンできるようにすること、を目的とする。
【課題を解決するための手段】
【００１０】
上記課題を解決するために、本発明の第１の技術手段は、狭帯域伝送路を介して外部機器と接続する第１の接続手段と、広帯域伝送路を介して前記外部機器と接続する第２の接続手段とを備えたＡＶ機器であって、前記第２の接続手段に係る回路への電力供給を停止又は制限すると共に、前記第１の接続手段に係る回路に電力を供給しながら待機し、前記第２の接続手段を使用した機能を実行する際に、前記第１の接続手段を介して前記外部機器から送られてくる電源オンのコマンドを受信することにより、前記第２の接続手段に係る回路への電力供給を開始することを特徴としたものである。
【００１１】
第２の技術手段は、第１の技術手段において、前記第２の接続手段を使用した機能の実行後、前記第１の接続手段を介して前記外部機器から送られてくる電源オフのコマンドを受信した場合、前記第２の接続手段に係る回路への電力供給を停止又は制限すると共に、前記第１の接続手段に係る回路に電力供給し、前記第１の接続手段を介して前記外部機器から送られてくる電源オンのコマンドを監視する待機状態へ移行させることを特徴としたものである。
【００１２】
第３の技術手段は、第１又は第２の技術手段において、前記第１の接続手段は、ＨＤＭＩ規格に準じた接続を行い、該ＨＤＭＩ規格に基づくＣＥＣコマンドを前記外部機器から受信し、前記第２の接続手段は、ＩＥＥＥ１３９４規格に準じた接続を行い、該ＩＥＥＥ１３９４規格に基づくＡＶＣコマンドを前記外部機器から受信することを特徴としたものである。
【００１３】
第４の技術手段は、狭帯域伝送路を介して外部機器と接続する第１の接続手段と、広帯域伝送路を介して前記外部機器と接続する第２の接続手段とを備えたＡＶ機器であって、前記外部機器は、前記広帯域伝送路に接続される回路への電力供給を停止又は制限すると共に、前記狭帯域伝送路に接続される回路に電力を供給しながら待機し、前記ＡＶ機器は、前記第２の接続手段を使用した機能を実行する際に、前記第１の接続手段から前記外部機器の電源をオンするためのコマンドを送信することにより、前記外部機器の前記広帯域伝送路に接続される回路への電力供給を開始させることを特徴としたものである。
【００１４】
第５の技術手段は、第４の技術手段において、前記第１の接続手段は、ＨＤＭＩ規格に準じた接続を行い、該ＨＤＭＩ規格に基づくＣＥＣコマンドを前記外部機器へ送信し、前記第２の接続手段は、ＩＥＥＥ１３９４規格に準じた接続を行い、該ＩＥＥＥ１３９４規格に基づくＡＶＣコマンドを前記外部機器へ送信することを特徴としたものである。
【００１５】
第６の技術手段は、第５の技術手段において、ＣＥＣコマンドを使用して、前記外部機器から、機器の接続位置を示す物理アドレスと、機器の固有情報であるＧＵＩＤを取得し、該取得した物理アドレスとＧＵＩＤを対応付けてメモリに記憶することを特徴としたものである。
【００１６】
第７の技術手段は、第６の技術手段において、前記第２の接続手段を使用した機能の実行前に、前記外部機器のＧＵＩＤに対応する物理アドレスが前記メモリに記憶されているかどうかを判定し、物理アドレスが記憶されている場合、前記第１の接続手段から前記外部機器の電源をオンするためのＣＥＣコマンドを送信することを特徴としたものである。
【００１７】
第８の技術手段は、第６又は第７の技術手段において、前記第２の接続手段を使用した機能の実行後に、前記外部機器のＧＵＩＤに対応する物理アドレスが前記メモリに記憶されているかどうかを判定し、物理アドレスが記憶されている場合、前記第１の接続手段から前記外部機器の電源をオフして待機状態に移行させるためのＣＥＣコマンドを送信することを特徴としたものである。
【００１８】
第９の技術手段は、第１乃至第８のいずれか１の技術手段において、前記第２の接続手段を使用した機能は、録画予約機能あるいは電源オン機能であることを特徴としたものである。
【００１９】
第１０の技術手段は、第１乃至第９のいずれか１の技術手段において、該ＡＶ機器は録画装置であり、前記外部機器は表示装置であることを特徴としたものである。
【００２０】
第１１の技術手段は、第１乃至第９のいずれか１の技術手段において、該ＡＶ機器は表示装置であり、前記外部機器は録画装置であることを特徴としたものである。
【００２１】
第１２の技術手段は、第１乃至第１１のいずれか１の技術手段におけるＡＶ機器と、該ＡＶ機器のＨＤＭＩ端子とＩＥＥＥ１３９４端子に接続される外部機器とを備えたＡＶシステムである。
【００２２】
第１３の技術手段は、狭帯域伝送路を介して外部機器と接続する第１の接続手段と、広帯域伝送路を介して前記外部機器と接続する第２の接続手段とを備えたＡＶ機器の電力制御方法であって、前記ＡＶ機器が、前記第２の接続手段に係る回路への電力供給を停止又は制限すると共に、前記第１の接続手段に係る回路に電力を供給しながら待機し、前記第２の接続手段を使用した機能を実行する際に、前記第１の接続手段を介して前記外部機器から送られてくる電源オンのコマンドを受信することにより、前記第２の接続手段に係る回路への電力供給を開始することを特徴としたものである。
【００２３】
第１４の技術手段は、第１３の技術手段において、前記ＡＶ機器が、前記第２の接続手段を使用した機能の実行後、前記第１の接続手段を介して前記外部機器から送られてくる電源オフのコマンドを受信した場合、前記第２の接続手段に係る回路への電力供給を停止又は制限すると共に、前記第１の接続手段に係る回路に電力供給し、前記第１の接続手段を介して前記外部機器から送られてくる電源オンのコマンドを監視する待機状態へ移行させることを特徴としたものである。
【００２４】
第１５の技術手段は、第１３又は第１４の技術手段において、前記第１の接続手段は、ＨＤＭＩ規格に準じた接続を行い、該ＨＤＭＩ規格に基づくＣＥＣコマンドを前記外部機器から受信し、前記第２の接続手段は、ＩＥＥＥ１３９４規格に準じた接続を行い、該ＩＥＥＥ１３９４規格に基づくＡＶＣコマンドを前記外部機器から受信することを特徴としたものである。
【００２５】
第１６の技術手段は、狭帯域伝送路を介して外部機器と接続する第１の接続手段と、広帯域伝送路を介して前記外部機器と接続する第２の接続手段とを備えたＡＶ機器の電力制御方法であって、前記外部機器が、前記広帯域伝送路に接続される回路への電力供給を停止又は制限すると共に、前記狭帯域伝送路に接続される回路に電力を供給しながら待機し、前記ＡＶ機器が、前記第２の接続手段を使用した機能を実行する際に、前記第１の接続手段から前記外部機器の電源をオンするためのコマンドを送信することにより、前記外部機器の前記広帯域伝送路に接続される回路への電力供給を開始させることを特徴としたものである。
【００２６】
第１７の技術手段は、第１６の技術手段において、前記第１の接続手段は、ＨＤＭＩ規格に準じた接続を行い、該ＨＤＭＩ規格に基づくＣＥＣコマンドを前記外部機器へ送信し、前記第２の接続手段は、ＩＥＥＥ１３９４規格に準じた接続を行い、該ＩＥＥＥ１３９４規格に基づくＡＶＣコマンドを前記外部機器へ送信することを特徴としたものである。
【００２７】
第１８の技術手段は、第１７の技術手段において、前記ＡＶ機器が、ＣＥＣコマンドを使用して、前記外部機器から、機器の接続位置を示す物理アドレスと、機器の固有情報であるＧＵＩＤを取得し、該取得した物理アドレスとＧＵＩＤを対応付けてメモリに記憶することを特徴としたものである。
【００２８】
第１９の技術手段は、第１８の技術手段において、前記ＡＶ機器が、前記第２の接続手段を使用した機能の実行前に、前記外部機器のＧＵＩＤに対応する物理アドレスが前記メモリに記憶されているかどうかを判定し、物理アドレスが記憶されている場合、前記第１の接続手段から前記外部機器の電源をオンするためのＣＥＣコマンドを送信することを特徴としたものである。
【００２９】
第２０の技術手段は、第１８又は第１９の技術手段において、前記ＡＶ機器が、前記第２の接続手段を使用した機能の実行後に、前記外部機器のＧＵＩＤに対応する物理アドレスが前記メモリに記憶されているかどうかを判定し、物理アドレスが記憶されている場合、前記第１の接続手段から前記外部機器の電源をオフして待機状態へ移行させるためのＣＥＣコマンドを送信することを特徴としたものである。
【００３０】
第２１の技術手段は、第１３乃至第２０のいずれか１の技術手段において、前記第２の接続手段を使用した機能は、録画予約機能あるいは電源オン機能であることを特徴としたものである。
【発明の効果】
【００３１】
本発明によれば、テレビとレコーダなどのＡＶ機器間がＩＥＥＥ１３９４とＨＤＭＩなどの２つ以上のインタフェースで接続されたＡＶシステムにおいて、消費電力の少ないＣＥＣによる待機状態とし、ＩＥＥＥ１３９４による録画予約機能等を実行する際に、ＣＥＣコマンドにより電源オンできるため、ＡＶ機器の待機時消費電力を大幅に低減することができる。
【発明を実施するための最良の形態】
【００３２】
以下、添付図面を参照しながら、本発明のＡＶ機器、該ＡＶ機器を備えたＡＶシステム、及び電力制御方法に係る好適な実施の形態について説明する。
【００３３】
本発明の実施形態においては、ＨＤＭＩ規格に含まれるＣＥＣ(Consumer Electronics Control)を使用する。ここでは、テレビとレコーダなどのＡＶ機器間がＩＥＥＥ１３９４とＨＤＭＩなどの２つ以上のインタフェースで接続されたＡＶシステムにおいて、消費電力の少ないＣＥＣによる待機状態とし、ＩＥＥＥ１３９４による録画予約機能等を実行する際に、ＣＥＣコマンドにより電源オンすることができるようになる。
【００３４】
本発明が適用されるＡＶ機器は、２つ以上の伝送路に接続可能とし、一方の伝送路がＩＥＥＥ１３９４をはじめとするＩＰ線、電力線、無線、光通信などの広帯域伝送路、他方の伝送路がＨＤＭＩのＣＥＣなどの狭帯域伝送路であればよい。以下では、広帯域伝送路の例としてＩＥＥＥ１３９４を、狭帯域伝送路の例としてＨＤＭＩのＣＥＣを適用した場合について説明する。
【００３５】
図１は、本発明が適用可能なＡＶシステムの構成例を示す図で、図中、１０は録画装置（レコーダ）、２０は表示装置（ＴＶ）、３０はＩＥＥＥ１３９４ケーブル、４０はＣＥＣ対応のＨＤＭＩケーブルを示す。ＴＶ２０は、ＩＥＥＥ１３９４ケーブル３０とＨＤＭＩケーブル４０を介してレコーダ１０と接続される。なお、レコーダ１０を本発明のＡＶ機器とした場合、ＴＶ２０は本発明の外部機器に相当し、ＴＶ２０を本発明のＡＶ機器とした場合、レコーダ１０が本発明の外部機器に相当する。
【００３６】
レコーダ１０は、映像・音声信号の記録，再生可能な出力装置であって、例えばＨＤＭＩ出力端子とＩＥＥＥ１３９４端子を持つＤＶＤレコーダやＨＤＤレコーダ、Ｄ−ＶＨＳレコーダなどであり、ＴＶ２０は、表示装置であって、ＨＤＭＩ入力端子とＩＥＥＥ１３９４端子を持つ液晶テレビやモニタなどである。また、レコーダ１０とＴＶ２０との間に、ＨＤＭＩ入力端子，出力端子と、ＩＥＥＥ１３９４端子とをもつＡＶアンプなどのリピータ機器を接続する構成としてもよい。このリピータ機器が複数のＨＤＭＩ入力端子とＩＥＥＥ１３９４端子を持っていれば、複数のレコーダ１０を接続することができ、ＡＶアンプのセレクタ機能によって入力ラインを切り替えることができる。
【００３７】
図２は、図１に示したＡＶシステムの構成例を説明するためのブロック図で、レコーダ１０と、ＴＶ２０とが接続されている構成を示すものである。レコーダ１０とＴＶ２０とはＩＥＥＥ１３９４ケーブル３０とＨＤＭＩケーブル４０によって接続される。
【００３８】
ＨＤＭＩケーブル４０は、デジタル信号である映像・音声信号を差動方式で伝送するためのＴＭＤＳ（Transition Minimized Differential Signaling）ライン（デジタル信号転送ライン）４１と、機器間で共通の制御信号（ＣＥＣコマンド）を伝送する双方向バスであるＣＥＣライン４２とを含んでいる。このＣＥＣライン４２は、本発明の狭帯域伝送路に相当する。またこの他、ＨＤＭＩケーブルには、ＥＤＩＤ（Extended Display Identification Data）の送信やＨＤＣＰ認証等に利用される図示しないＤＤＣラインが含まれる。
【００３９】
ビデオ／音声を含むストリームは、ＴＭＤＳライン４１を用いて伝送される。ＴＭＤＳライン４１はシリアル伝送路であり、例えば、赤（Ｒ），緑（Ｇ），青（Ｂ）のチャンネル毎の３つのデータ伝送路と、１つのクロック伝送路とが設けられている。Ｒ，Ｇ，Ｂに分解された映像信号は伝送路内をベースバンド信号で伝送され、音声信号は映像信号のブランキング期間に挿入されて映像信号と同時に伝送される。ＨＤＭＩは、５．１ｃｈや６．１ｃｈなどマルチサラウンドの音声信号の伝送にも対応しており、マルチサラウンド音声信号を映像信号に挿入して同時に伝送することができる。
【００４０】
ＩＥＥＥ１３９４ケーブル３０は、ビデオ／音声を含むストリームにＡＶＣコマンドを重畳して一本のケーブルで伝送する本発明の広帯域伝送路に相当する。ＩＥＥＥ１３９４の場合、ＨＤＭＩと異なり、ストリームの伝送ラインとＡＶＣコマンドの伝送ラインは物理的に分かれていない。
【００４１】
本発明に関わるレコーダ１０のＣＥＣによるスタンバイ機能及び電源オン機能を実現するために、ＣＥＣライン４２を介して転送されるＣＥＣコマンドが用いられる。上述のように、ＣＥＣはＨＤＭＩで規格化されている制御プロトコルであり、ＣＥＣコマンドはＣＥＣプロトコルに基づく制御信号である。そしてＣＥＣコマンドを用いて機器間で情報をやりとりすることにより、ＴＶ２０とレコーダ１０との間で各種の動作制御を実現する。
【００４２】
レコーダ１０は、ＨＤＭＩトランスミッタ１１、ＨＯＳＴ ＣＰＵ１２、フロントマイコン１３、ＣＥＣ Ｉ／Ｆ１４、ＩＥＥＥ１３９４送受信部１５、リモコン受光部１６、ＨＤＭＩコネクタ１７、ＩＥＥＥ１３９４コネクタ１８、及びメモリ１９を備えている。ＨＤＭＩトランスミッタ１１は、例えばＤＶＤなどのメディアに記録されている映像データと音声データとを読み出し、音声信号が映像信号のブランキング期間に挿入されたＨＤＭＩ形式のストリームに変換する。そして、変換したストリームをＴＭＤＳライン４１によってＴＶ２０へ転送する。ＨＤＭＩコネクタ１７は、ＨＤＭＩケーブル４０のＣＥＣライン４２を介してＴＶ２０と接続する本発明の第１の接続手段に相当する。
【００４３】
ＩＥＥＥ１３９４送受信部１５は、ＩＥＥＥ１３９４ケーブル３０を介して映像・音声ストリームをＴＶ２０へ送信し、あるいは、ＩＥＥＥ１３９４ケーブル３０を介してＴＶ２０から映像・音声ストリームを受信する。また、ＴＶ２０との間で映像・音声ストリームに重畳されるＡＶＣコマンドの送受信を行う。このＡＶＣコマンドはＩＥＥＥ１３９４規格に基づく制御信号である。ＩＥＥＥ１３９４コネクタ１８は、ＩＥＥＥ１３９４ケーブル３０を介してＴＶ２０と接続する本発明の第２の接続手段に相当する。
【００４４】
ＨＯＳＴ ＣＰＵ１２は、装置全体を制御するメインＣＰＵであって、ＨＤＭＩコントローラを含み、ＨＤＭＩトランスミッタ１１の動作を制御すると共に、ＩＥＥＥ１３９４コントローラを含み、ＩＥＥＥ１３９４送受信部１５の動作を制御する。
【００４５】
ＣＥＣ Ｉ／Ｆ１４は、ＨＤＭＩケーブル内のＣＥＣライン４２を接続し、ＴＶ２０との間でＣＥＣコマンドの双方向通信を可能とする。ＣＥＣ Ｉ／Ｆ１４の動作は、ＣＥＣコントローラを含むフロントマイコン１３により制御され、ＣＥＣコマンドによってＨＤＭＩ接続された機器を制御することができる。例えば、一方の機器（ＴＶ２０）からスタンバイ状態にある他方の機器（レコーダ１０）に対して、電源オンを指示するＣＥＣコマンドを送信することにより電源をオンさせるなどの制御を行うことが可能となる。ＣＥＣの場合、ＨＤＭＩ接続された各機器の論理アドレス（機器の種別）と物理アドレス（機器の位置）が取得されるため、この論理アドレスと物理アドレスを指定することで所望の機器にＣＥＣコマンドを送信することができる。
【００４６】
またフロントマイコン１３は低電力で動作し、常にＣＥＣライン４２から転送されてくるＣＥＣコマンドを監視する。フロントマイコン１３は、サブＣＰＵであって、図示しないリモコン装置からのリモコン信号を受信するリモコン受光部１６を制御している。そして装置のスタンバイモードなどにおいてＨＯＳＴ ＣＰＵ１２がダウンしているときでも、フロントマイコン１３が動作し、ＣＥＣコマンドの送受信とリモコン信号の受信とが可能な状態に維持している。
【００４７】
またメモリ１９は、ＨＤＭＩにおける論理アドレス，物理アドレスを記憶すると共に、ＩＥＥＥ１３９４における機器の固有情報であるＧＵＩＤを記憶するＥＥＰＲＯＭなどの不揮発メモリである。
【００４８】
ＴＶ２０は、ＨＯＳＴ ＣＰＵ２１、ＨＤＭＩレシーバ２２、モニターマイコン２３、ＣＥＣ Ｉ／Ｆ２４、ＩＥＥＥ１３９４送受信部２５、リモコン受光部２６、ＨＤＭＩコネクタ２７、ＩＥＥＥ１３９４コネクタ２８、及びメモリ２９を備えている。ＴＶ２０は、レコーダ１０から転送されたストリームをＨＤＭＩレシーバ２２で受信する。ＨＤＭＩレシーバ２２はＨＯＳＴ ＣＰＵ２１に内蔵された構成であってもよい。またＣＥＣ Ｉ／Ｆ２４によって、レコーダ１０との間のＣＥＣライン４２が接続される。ＨＤＭＩコネクタ２７は、ＨＤＭＩケーブル４０のＣＥＣライン４２を介してレコーダ１０と接続する本発明の第１の接続手段に相当する。
【００４９】
ＩＥＥＥ１３９４送受信部２５は、ＩＥＥＥ１３９４ケーブル３０を介して映像・音声ストリームをレコーダ１０から受信し、あるいは、ＩＥＥＥ１３９４ケーブル３０を介してレコーダ１０へ映像・音声ストリームを送信する。また、レコーダ１０との間で映像・音声ストリームに重畳されるＡＶＣコマンドの送受信を行う。ＩＥＥＥ１３９４コネクタ２８は、ＩＥＥＥ１３９４ケーブル３０を介してレコーダ１０と接続する本発明の第２の接続手段に相当する。
【００５０】
ＨＯＳＴ ＣＰＵ２１は、装置全体を制御するメインＣＰＵであって、ＨＤＭＩコントローラを含み、ＨＤＭＩレシーバ２２の動作を制御すると共に、ＩＥＥＥ１３９４コントローラを含み、ＩＥＥＥ１３９４送受信部２５の動作を制御する。またモニターマイコン２３は、ＣＥＣコントローラを含み、ＣＥＣライン４２から転送されてくるＣＥＣコマンドを監視する。モニターマイコン２３は、図示しないリモコン装置からのリモコン信号を受信するリモコン受光部２６を制御している。そして装置のスタンバイモードなどにおいてＨＯＳＴ ＣＰＵ２１がダウンしているときでも、モニターマイコン２３が動作し、ＣＥＣコマンドの送受信とリモコン信号の受信とが可能な状態に維持している。
【００５１】
またメモリ２９は、ＨＤＭＩにおける論理アドレス，物理アドレスを記憶すると共に、ＩＥＥＥ１３９４における機器の固有情報であるＧＵＩＤを記憶するＥＥＰＲＯＭなどの不揮発メモリである。
【００５２】
ＴＶ２０では、ＨＤＭＩレシーバ２２によりストリームの映像／音声が分離され、必要に応じて所定の映像信号処理及び音声信号処理を行って、ディスプレイ等の表示画面に映像表示を行うとともに、スピーカから音声出力させる。またＩＥＥＥ１３９４による経路から映像／音声信号が入力する場合には、ビデオ／オーディオスイッチにより出力信号が切り替えられる。
【００５３】
（第１の実施形態）
図３は、本発明の第１の実施形態に係るＡＶ機器のスタンバイモードにおける待機時通電範囲を説明するためのブロック図である。図中網掛け部分が非通電部分である。なお、本実施形態ではレコーダ１０がスタンバイモードにあって、ＴＶ２０からレコーダ１０の電源オンを制御する構成について説明する。
【００５４】
ＩＥＥＥ１３９４に対応したＴＶ２０は、ＩＥＥＥ１３９４録画予約機能や、ＩＥＥＥ１３９４操作パネルなどからの電源オン機能などを備える。従来図３（Ａ）に示すように、ＩＥＥＥ１３９４で接続されたレコーダ１０は、スタンバイモードにおいても、ＩＥＥＥ１３９４規格に基づくＡＶＣコマンドによる電源オン要求に対応できるように、ＨＯＳＴ ＣＰＵ１２を含むＩＥＥＥ１３９４送受信部１５に通電していたため、待機時消費電力が大きかった。
【００５５】
そこで、本発明のレコーダ１０は、図３（Ｂ）に示すように、スタンバイモードにおいて、ＩＥＥＥ１３９４コネクタ１８に係る回路であるＩＥＥＥ送受信部１５とＨＯＳＴ ＣＰＵ１２への電力供給を停止又は制限すると共に、ＨＤＭＩコネクタ１７のＣＥＣライン４２に係る回路であるＣＥＣ Ｉ／Ｆ１４とフロントマイコン１３に電力を供給しながら待機する。このとき、ＨＤＭＩトランスミッタ１１は非通電状態、リモコン受光部１６は通電状態とする。
【００５６】
すなわち、このスタンバイモードでは、ＩＥＥＥ送受信部１５、ＨＯＳＴ ＣＰＵ１２、及びＨＤＭＩトランスミッタ１１が非通電状態とされ、ＣＥＣ Ｉ／Ｆ１４、フロントマイコン１３、及びリモコン受光部１６が通電状態とされ、ＴＶ２０からのＣＥＣコマンドが常時監視される。
【００５７】
スタンバイモードにあるレコーダ１０は、ＴＶ２０からの制御に従い、ＩＥＥＥ１３９４コネクタ１８を使用した機能（例えば、ＩＥＥＥ１３９４による録画予約、ＩＥＥＥ１３９４操作パネルからの電源オンなど）を実行する際に、ＨＤＭＩコネクタ１７のＣＥＣライン４２を介してＴＶ２０から送られてくる電源オンのＣＥＣコマンドを受信する。このＣＥＣコマンドにより、ＩＥＥＥ１３９４コネクタ１８に係る回路であるＩＥＥＥ送受信部１５とＨＯＳＴ ＣＰＵ１２への電力供給を開始し、電源オンモードに移行する。以後、ＩＥＥＥ１３９４のＡＶＣコマンドの受信が可能となり、ＩＥＥＥ１３９４を使用した録画予約などが実行される。
【００５８】
そして、レコーダ１０は、ＩＥＥＥ１３９４を使用した録画予約の実行後、ＣＥＣライン４２を介してＴＶ２０から送られてくる電源オフのコマンドを受信した場合、ＩＥＥＥ送受信部１５、ＨＯＳＴ ＣＰＵ１２、及びＨＤＭＩトランスミッタ１１への電力供給を停止又は制限すると共に、ＣＥＣ Ｉ／Ｆ１４、フロントマイコン１３、及びリモコン受光部１６に電力を供給し、ＣＥＣライン４２を介してＴＶ２０から送られてくる電源オンのコマンドを監視するスタンバイモードに移行する。
【００５９】
以上では制御される側となるレコーダ１０の動作例について説明したが、制御する側となるＴＶ２０の動作例について説明する。
ＴＶ２０は、図３（Ｂ）に示すスタンバイモードにあるレコーダ１０に対して、ＩＥＥＥ１３９４を使用した録画予約機能などを実行する際に、ＣＥＣライン４２からレコーダ１０の電源をオンするためのＣＥＣコマンドを送信する。このＣＥＣコマンドにより、レコーダ１０のＩＥＥＥ１３９４ケーブル３０に接続される回路であるＩＥＥＥ送受信部１５、ＨＯＳＴ ＣＰＵ１２への電力供給を開始させる。
【００６０】
ここで、ＴＶからＩＥＥＥ１３９４接続された機器をＣＥＣコマンドで制御するために、ＩＥＥＥ１３９４接続機器とＨＤＭＩ接続機器とが同じ機器であることを特定する必要がある。そこで、ＴＶ２０は、起動時あるいはＨＤＭＩ接続時において、ＣＥＣコマンドを使用して、レコーダ１０から、機器の接続位置を示す物理アドレスと、機器の固有情報であるＧＵＩＤを取得する。そして、取得した物理アドレスとＧＵＩＤを対応付けてマッピングテーブルとしてメモリ２９に記憶しておく。
【００６１】
ＴＶ２０は、ＩＥＥＥ１３９４を使用した録画予約などの実行前に、使用しようとしているレコーダ１０のＧＵＩＤに対応する物理アドレスがメモリ２９に記憶されているかどうかを判定し、物理アドレスが記憶されている場合、ＣＥＣライン４２からレコーダ１０の電源をオンするためのＣＥＣコマンドを送信する。
【００６２】
また、ＴＶ２０は、ＩＥＥＥ１３９４を使用した録画予約機能などの実行後に、レコーダ１０のＧＵＩＤに対応する物理アドレスがメモリ２９に記憶されているかどうかを判定し、物理アドレスが記憶されている場合、ＣＥＣライン４２からレコーダ１０の電源をオフして待機状態に移行させるためのＣＥＣコマンドを送信するようにしてもよい。
【００６３】
一般的にレコーダは起動してから安定（録画可能な状態）するまでに、ある程度の時間（例えば２分程度）がかかることが知られている。そこで、ＴＶ２０は、ＩＥＥＥ１３９４録画予約実行終了後例えば２分以内に、次の録画予約（ＩＥＥＥ１３９４またはＨＤＭＩ）があり、その録画対象レコーダが、同じＩＥＥＥ１３９４接続機器か、あるいは、同じＣＥＣ物理アドレスのＨＤＭＩ接続機器である場合、電源オフのＣＥＣコマンドを送信せずに、そのままレコーダ１０を電源オン状態としてもよい。
【００６４】
また、そうでない場合、すなわち、ＩＥＥＥ１３９４録画予約実行終了後２分以内に、次の録画予約がない場合、または、ＩＥＥＥ１３９４録画予約実行終了後２分以内に、次の録画予約があっても、その録画対象レコーダが、同じＩＥＥＥ１３９４接続機器か、あるいは、同じＣＥＣ物理アドレスのＨＤＭＩ接続機器でない場合、レコーダ１０のＧＵＩＤに対応する物理アドレスがメモリ２９に記憶されていれば、ＣＥＣライン４２から電源オフのＣＥＣコマンドを送信する。
【００６５】
図４は、本発明のＡＶシステムによる録画予約シーケンスの一例を説明するための図である。本例ではＩＥＥＥ１３９４録画予約実行開始時にＣＥＣにより電源オンする際のシーケンスについて、レコーダ１０が図３（Ｂ）に示したスタンバイモードにあるものとして説明する。
【００６６】
まず、ＴＶ２０は、ＩＥＥＥ１３９４録画予約が実行開始されるか、あるいは、ＩＥＥＥ１３９４の操作パネルが操作されると（Ｓ１）、レコーダ１０の電源をオンするためのＣＥＣコマンドをレコーダ１０へ送信する（Ｓ２）。スタンバイモードにあるレコーダ１０は、このＣＥＣコマンドを受けて、電源をオンしてスタンバイから復帰する（Ｓ３）。
【００６７】
次に、ＴＶ２０は、録画予約に従って選局を行い（Ｓ４）、ＩＥＥＥ１３９４の映像・音声信号であるＴＳ（トランスポートストリーム）と録画開始を指示するためのＡＶＣコマンドをレコーダ１０へ送信する（Ｓ５）。レコーダ１０は、このＴＳとＡＶＣコマンドを受けて、ＴＶ２０のチューナ（地上デジタル／ＢＳ／ＣＳ）で選局された番組（ＴＳ）を、ＩＥＥＥ１３９４を介して録画開始する（Ｓ６）。これにより、ＴＶ２０のチューナはＩＥＥＥ１３９４録画固定の状態となる。
【００６８】
次に、ＴＶ２０は、リモコンの入力切換キーが押下されると（Ｓ７）、ＨＤＭＩ入力に切り換える（Ｓ８）。そして、リモコンの録画キーが押下されると（Ｓ９）、録画開始を指示するためのＣＥＣコマンドをレコーダ１０へ送信し（Ｓ１０−１）、レコーダ１０のチューナ（地上アナログ／地上デジタル／ＢＳ／ＣＳ）で録画開始する（Ｓ１１）。または、レコーダ１０が、レコーダ側の録画予約開始、あるいは、ユーザ操作による選局と録画開始が指示されると（Ｓ１０−２）、レコーダ１０のチューナで録画開始する（Ｓ１１）。
【００６９】
図５は、本発明のＡＶシステムによるＩＥＥＥ１３９４とＨＤＭＩ同時接続の認識シーケンスの一例を説明するための図である。まず、ＴＶ２０は、起動時またはＨＤＭＩ接続時において、ＣＥＣ物理アドレス決定後に、ＣＥＣコマンドによるＧＵＩＤ要求をレコーダ１０へ送信する（Ｓ２１）。レコーダ１０は、このＣＥＣコマンドを受けて、ＧＵＩＤを含む返答をＣＥＣコマンドとしてＴＶ２０へ送信する（Ｓ２２）。そして、ＴＶ２０は、ＣＥＣ物理アドレス（２ｂｙｔｅ）とＩＥＥＥ１３９４ＧＵＩＤ（８ｂｙｔｅ）のマッピングテーブルをメモリ２９に記録する（Ｓ２３）。
【００７０】
図６は、本発明のＡＶシステムによるＩＥＥＥ１３９４録画予約実行開始時のＣＥＣによる電源オンシーケンスの一例を説明するための図である。本例ではレコーダ１０が図３（Ｂ）に示したスタンバイモードにあるものとして説明する。なお、一般的にレコーダは起動してから安定（録画可能な状態）するまでに、ある程度の時間がかかる。ここではその時間を最大２分とする。
【００７１】
まず、ＴＶ２０は、ＩＥＥＥ１３９４録画予約実行開始２分前に（Ｓ３１）、今回使おうとしているＩＥＥＥ１３９４ＧＵＩＤに対応するＣＥＣ物理アドレスがメモリ２９に記憶されているかどうか判定する（Ｓ３２）。ＣＥＣ物理アドレスが記憶されている場合（ＹＥＳの場合）、レコーダ１０の電源状態を確認及びその電源状態を記録し（Ｓ３３）、ＣＥＣコマンドによる電源オン要求をレコーダ１０へ送信する（Ｓ３５）。レコーダ１０は、このＣＥＣコマンドを受けて、電源をオンする（Ｓ３５）。この後、ＴＶ２０はＳ３７におけるＩＥＥＥ１３９４のリンク開始まで６０秒待機する（Ｓ３６）。
【００７２】
また、ＴＶ２０は、上記Ｓ３２において、ＣＥＣ物理アドレスが記憶されていない場合（ＮＯの場合）、そのまま次の処理（Ｓ３７）へ移行する。ＴＶ２０は、ＣＥＣ物理アドレスがない場合あるいはＣＥＣ物理アドレスがあり６０秒待機した後、ＴＶ２０とレコーダ１０間でＩＥＥＥ１３９４のリンクが張られると（Ｓ３７）、ＡＶＣコマンドによる電源状態把握要求をレコーダ１０へ送信し、レコーダ１０はこのＡＶＣコマンドに返答する（Ｓ３８）。ＴＶ２０は、レコーダ１０からのＡＶＣコマンドを受けて、レコーダ１０が電源オン状態かどうかを判定する（Ｓ３９）。
【００７３】
ＴＶ２０は、上記Ｓ３９において、レコーダ１０が電源オン状態にある場合（ＹＥＳの場合）、そのまま次の処理（Ｓ４１）へ移行し、一方、レコーダ１０が電源オン状態でない場合（ＮＯの場合）、ＡＶＣコマンドによる電源オン要求をレコーダ１０へ送信する（Ｓ４０）。そして、ＴＶ２０は、ＩＥＥＥ１３９４録画予約実行開始１５秒前に（Ｓ４１）、ＡＶＣコマンドによる録画一時停止要求をレコーダ１０へ送信する（Ｓ４２）。以降、通常と同様のシーケンスで録画処理が実行される。
【００７４】
図７及び図８は、本発明のＡＶシステムによるＩＥＥＥ１３９４録画予約実行終了時のＣＥＣによる電源オフシーケンスの一例を説明するための図である。まず、ＴＶ２０は、ＩＥＥＥ１３９４録画予約の終了時刻になると（Ｓ５１）、２分以内に次の録画予約（ＩＥＥＥ１３９４，ＨＤＭＩ）があるかどうかを判定する（Ｓ５２）。
【００７５】
ＴＶ２０は、上記Ｓ５２において、次の録画予約がある場合（ＹＥＳの場合）、該次の録画予約がＩＥＥＥ１３９４予約の場合とＨＤＭＩ予約の場合で異なる判定処理を行う（Ｓ５３）。また、ＴＶ２０は、上記Ｓ５２において、次の録画予約がない場合（ＮＯの場合）、そのまま次の処理（Ｓ５５）へ移行する。
【００７６】
上記Ｓ５３において、ＩＥＥＥ１３９４予約の場合、図８（Ａ）に示すフローへ移行する。図８（Ａ）において、ＴＶ２０は、今回と次の予約のＧＵＩＤが同じかどうかを判定する（Ｓ６１）。同じ場合（ＹＥＳの場合）、レコーダ１０の停止をスキップし、一方、異なる場合（ＮＯの場合）、レコーダ１０を停止する。
【００７７】
また、上記Ｓ５３において、ＨＤＭＩ予約の場合、図８（Ｂ）に示すフローへ移行する。図８（Ｂ）において、ＴＶ２０は、今回のＧＵＩＤに対応するＣＥＣ物理アドレスがあるかどうかを判定し（Ｓ７１）、ＣＥＣ物理アドレスがある場合（ＹＥＳの場合）、ＣＥＣ録画対象機器と同じＣＥＣ物理アドレスかどうかを判定する（Ｓ７２）。同じ場合（ＹＥＳの場合）、レコーダ１０の停止をスキップする。また、上記Ｓ７１でＣＥＣ物理アドレスがない場合（ＮＯの場合）、また、上記Ｓ７２でＣＥＣ物理アドレスが異なる場合（ＮＯの場合）、レコーダ１０を停止する。
【００７８】
次に、ＴＶ２０は、上記Ｓ５３の判定結果に基づいて、レコーダ１０の停止スキップかどうかを判定し（Ｓ５４）、停止スキップの場合（ＹＥＳの場合）、レコーダ１０を停止させず、そのまま動作させる。一方、停止スキップではない、すなわち停止の場合（ＮＯの場合）、ＡＶＣコマンドによる電源オフ要求をレコーダ１０へ送信する（Ｓ５５）。
【００７９】
そして、ＴＶ２０は、ＩＥＥＥ１３９４ＧＵＩＤに対応するＣＥＣ物理アドレスがあるかどうかを判定し（Ｓ５６）、ＣＥＣ物理アドレスがある場合（ＹＥＳの場合）、ＣＥＣコマンドによる電源オフ要求をレコーダ１０へ送信する（Ｓ５７）。レコーダ１０は、このＣＥＣコマンドを受けて、電源をオフしてスタンバイモードへ移行する（Ｓ５８）。また、ＴＶ２０は、上記Ｓ５６において、ＣＥＣ物理アドレスがない場合（ＮＯの場合）、電源オフ要求のＣＥＣコマンドを送らずに次の処理待ち状態へ移行する。
【００８０】
図９及び図１０は、本発明のＡＶシステムによるＨＤＭＩ録画予約実行終了時のＣＥＣによる電源オフシーケンスの一例を説明するための図である。まず、ＴＶ２０は、ＨＤＭＩ録画予約の終了時刻になると（Ｓ８１）、２分以内に次の録画予約（ＩＥＥＥ１３９４，ＨＤＭＩ）があるかどうかを判定する（Ｓ８２）。
【００８１】
ＴＶ２０は、上記Ｓ８２において、次の録画予約がある場合（ＹＥＳの場合）、該次の録画予約がＩＥＥＥ１３９４予約の場合とＨＤＭＩ予約の場合で異なる判定処理を行う（Ｓ８３）。また、ＴＶ２０は、上記Ｓ８２において、次の録画予約がない場合（ＮＯの場合）、そのまま次の処理（Ｓ８５）へ移行する。
【００８２】
上記Ｓ８３において、ＨＤＭＩ予約の場合、図１０（Ａ）に示すフローへ移行する。図１０（Ａ）において、ＴＶ２０は、今回と次の予約のＣＥＣ物理アドレスが同じかどうかを判定する（Ｓ９１）。同じ場合（ＹＥＳの場合）、レコーダ１０の停止をスキップし、一方、異なる場合（ＮＯの場合）、レコーダ１０を停止する。
【００８３】
一方、上記Ｓ８３において、ＩＥＥＥ１３９４予約の場合、図１０（Ｂ）に示すフローへ移行する。図１０（Ｂ）において、ＴＶ２０は、今回のＣＥＣ物理アドレスに対応するＧＵＩＤがあるかどうかを判定し（Ｓ１０１）、ＧＵＩＤがある場合（ＹＥＳの場合）、次回のＩＥＥＥ１３９４録画対象機器と同じＧＵＩＤかどうかを判定する（Ｓ１０２）。同じ場合（ＹＥＳの場合）、レコーダ１０の停止をスキップする。また、上記Ｓ１０１でＧＵＩＤがない場合（ＮＯの場合）、上記Ｓ１０２でＧＵＩＤが異なる場合（ＮＯの場合）、レコーダ１０を停止する。
【００８４】
次に、ＴＶ２０は、上記Ｓ８３の判定結果に基づいて、レコーダ１０の停止スキップかどうかを判定し（Ｓ８４）、停止スキップの場合（ＹＥＳの場合）、レコーダ１０を停止させず、そのまま動作させる。一方、停止スキップではない、すなわち停止の場合（ＮＯの場合）、ＣＥＣコマンドによる電源オフ要求をレコーダ１０へ送信する（Ｓ８５）。レコーダ１０は、このＣＥＣコマンドを受けて、電源をオフしてスタンバイモードへ移行する（Ｓ８６）。
【００８５】
図１１は、本発明のＡＶシステムによるＩＥＥＥ１３９４操作パネルの電源オン／オフ時のＣＥＣによる電源オン／オフシーケンスの一例を説明するための図である。本例ではレコーダ１０が図３（Ｂ）に示したスタンバイモードにあるものとして説明する。
【００８６】
まず、ＴＶ２０は、ＩＥＥＥ１３９４操作パネルから電源オンが指示されると（Ｓ１１１）、今回使おうとしているＩＥＥＥ１３９４ＧＵＩＤに対応するＣＥＣ物理アドレスがメモリ２９に記憶されているかどうか判定する（Ｓ１１２）。ＣＥＣ物理アドレスが記憶されている場合（ＹＥＳの場合）、ＣＥＣコマンドによる電源オン要求をレコーダ１０へ送信する（Ｓ１１３）。レコーダ１０は、このＣＥＣコマンドを受けて、電源をオンする（Ｓ１１４）。この後、ＴＶ２０はＳ１１６におけるＩＥＥＥ１３９４のリンク開始まで６０秒待機する（Ｓ１１５）。
【００８７】
また、ＴＶ２０は、上記Ｓ１１２において、ＣＥＣ物理アドレスが記憶されていない場合（ＮＯの場合）、そのまま次の処理（Ｓ１１６）へ移行する。ＴＶ２０は、ＣＥＣ物理アドレスがない場合あるいはＣＥＣ物理アドレスがあり６０秒待機した後、ＴＶ２０とレコーダ１０間でＩＥＥＥ１３９４のリンクが張られると（Ｓ１１６）、ＡＶＣコマンドによる電源状態把握要求をレコーダ１０へ送信し、レコーダ１０はこのＡＶＣコマンドに返答する（Ｓ１１７）。ＴＶ２０は、レコーダ１０からのＡＶＣコマンドを受けて、レコーダ１０が電源オン状態かどうかを判定する（Ｓ１１８）。
【００８８】
ＴＶ２０は、上記Ｓ１１８において、レコーダ１０が電源オン状態にある場合（ＹＥＳの場合）、そのまま次の処理（Ｓ１２０）へ移行し、一方、レコーダ１０が電源オン状態でない場合（ＮＯの場合）、ＡＶＣコマンドによる電源オン要求をレコーダ１０へ送信する（Ｓ１１９）。
【００８９】
ＴＶ２０は、ＩＥＥＥ１３９４操作パネルから電源オフが指示されると（Ｓ１２０）、ＡＶＣコマンドによる電源オフ要求をレコーダ１０へ送信する（Ｓ１２１）。そして、ＩＥＥＥ１３９４ＧＵＩＤに対応するＣＥＣ物理アドレスがあるかどうかを判定し（Ｓ１２２）、ＣＥＣ物理アドレスがある場合（ＹＥＳの場合）、ＣＥＣコマンドによる電源オフ要求をレコーダ１０へ送信する（Ｓ１２３）。レコーダ１０は、このＣＥＣコマンドを受けて、電源をオフしてスタンバイモードへ移行する（Ｓ１２４）。また、ＴＶ２０は、上記Ｓ１２２において、ＣＥＣ物理アドレスがない場合（ＮＯの場合）、電源オフ要求のＣＥＣコマンドを送らずに次の処理待ち状態へ移行する。
【００９０】
（第２の実施形態）
図１２は、本発明の第２の実施形態に係るＡＶ機器のスタンバイモードにおける待機時通電範囲を説明するためのブロック図である。図中網掛け部分が非通電部分である。なお、本実施形態ではＴＶ２０がスタンバイモードにあって、レコーダ１０からＴＶ２０の電源オンを制御する構成について説明する。
【００９１】
ＩＥＥＥ１３９４に対応したレコーダ１０は、ＩＥＥＥ１３９４録画予約機能や、ＩＥＥＥ１３９４操作パネルなどからの電源オン機能などを備える。従来図１２（Ａ）に示すように、ＩＥＥＥ１３９４で接続されたＴＶ２０は、スタンバイモードにおいても、ＩＥＥＥ１３９４規格に基づくＡＶＣコマンドによる電源オン要求に対応できるように、ＨＯＳＴ ＣＰＵ２１を含むＩＥＥＥ１３９４送受信部２５に通電していたため、待機時消費電力が大きかった。
【００９２】
そこで、本発明のＴＶ２０は、図１２（Ｂ）に示すように、スタンバイモードにおいて、ＩＥＥＥ１３９４コネクタ２８に係る回路であるＩＥＥＥ送受信部２５とＨＯＳＴ ＣＰＵ２１への電力供給を停止又は制限すると共に、ＨＤＭＩコネクタ２７のＣＥＣライン４２に係る回路であるＣＥＣ Ｉ／Ｆ２４とモニターマイコン２３に電力を供給しながら待機する。このとき、ＨＤＭＩレシーバ２２は非通電状態、リモコン受光部２６は通電状態とする。
【００９３】
すなわち、このスタンバイモードでは、ＩＥＥＥ送受信部２５、ＨＯＳＴ ＣＰＵ２１、及びＨＤＭＩレシーバ２２が非通電状態とされ、ＣＥＣ Ｉ／Ｆ２４、モニターマイコン２３、及びリモコン受光部２６が通電状態とされ、レコーダ１０からのＣＥＣコマンドが常時監視される。
【００９４】
スタンバイモードにあるＴＶ２０は、レコーダ１０からの制御に従い、ＩＥＥＥ１３９４コネクタ２８を使用した機能（例えば、ＩＥＥＥ１３９４による録画予約、ＩＥＥＥ１３９４操作パネルからの電源オンなど）を実行する際に、ＨＤＭＩコネクタ２７のＣＥＣライン４２を介してレコーダ１０から送られてくる電源オンのＣＥＣコマンドを受信する。このＣＥＣコマンドにより、ＩＥＥＥ１３９４コネクタ２８に係る回路であるＩＥＥＥ送受信部２５とＨＯＳＴ ＣＰＵ２１への電力供給を開始し、電源オンモードに移行する。以後、ＩＥＥＥ１３９４のＡＶＣコマンドの受信が可能となり、ＩＥＥＥ１３９４を使用した録画予約などが実行される。
【００９５】
そして、ＴＶ２０は、ＩＥＥＥ１３９４を使用した録画予約の実行後、ＣＥＣライン４２を介してレコーダ１０から送られてくる電源オフのコマンドを受信した場合、ＩＥＥＥ送受信部２５、ＨＯＳＴ ＣＰＵ２１、及びＨＤＭＩレシーバ２２への電力供給を停止又は制限すると共に、ＣＥＣ Ｉ／Ｆ２４、モニターマイコン２３、及びリモコン受光部２６に電力を供給し、ＣＥＣライン４２を介してレコーダ１０から送られてくる電源オンのコマンドを監視するスタンバイモードに移行する。
【００９６】
以上では制御される側となるＴＶ２０の動作例について説明したが、制御する側となるレコーダ１０の動作例について説明する。
レコーダ１０は、図１２（Ｂ）に示すスタンバイモードにあるＴＶ２０に対して、ＩＥＥＥ１３９４を使用した録画予約機能などを実行する際に、ＣＥＣライン４２からＴＶ２０の電源をオンするためのＣＥＣコマンドを送信する。このＣＥＣコマンドにより、ＴＶ２０のＩＥＥＥ１３９４ケーブル３０に接続される回路であるＩＥＥＥ送受信部２５、ＨＯＳＴ ＣＰＵ２１への電力供給を開始させる。
【００９７】
ここで、レコーダからＩＥＥＥ１３９４接続された機器をＣＥＣコマンドで制御するために、ＩＥＥＥ１３９４接続機器とＨＤＭＩ接続機器とが同じ機器であることを特定する必要がある。そこで、レコーダ１０は、起動時あるいはＨＤＭＩ接続時において、ＣＥＣコマンドを使用して、ＴＶ２０から、機器の接続位置を示す物理アドレスと、機器の固有情報であるＧＵＩＤを取得する。そして、取得した物理アドレスとＧＵＩＤを対応付けてマッピングテーブルとしてメモリ１９に記憶しておく。
【００９８】
レコーダ１０は、ＩＥＥＥ１３９４を使用した録画予約などの実行前に、使用しようとしているＴＶ２０のＧＵＩＤに対応する物理アドレスがメモリ１９に記憶されているかどうかを判定し、物理アドレスが記憶されている場合、ＣＥＣライン４２からＴＶ２０の電源をオンするためのＣＥＣコマンドを送信する。
【００９９】
また、レコーダ１０は、ＩＥＥＥ１３９４を使用した録画予約機能などの実行後に、ＴＶ２０のＧＵＩＤに対応する物理アドレスがメモリ１９に記憶されているかどうかを判定し、物理アドレスが記憶されている場合、ＣＥＣライン４２からＴＶ２０の電源をオフして待機状態に移行させるためのＣＥＣコマンドを送信するようにしてもよい。
【０１００】
一般的にＴＶは起動してから安定（放送受信可能な状態）するまでに、ある程度の時間（例えば７秒程度）がかかることが知られている。そこで、レコーダ１０は、ＩＥＥＥ１３９４録画予約実行終了後例えば７秒以内に、次の録画予約（ＩＥＥＥ１３９４またはＨＤＭＩ）があり、その放送受信対象ＴＶが、同じＩＥＥＥ１３９４接続機器か、あるいは、同じＣＥＣ物理アドレスのＨＤＭＩ接続機器である場合、電源オフのＣＥＣコマンドを送信せずに、そのままＴＶ２０を電源オン状態としてもよい。
【０１０１】
また、そうでない場合、すなわち、ＩＥＥＥ１３９４録画予約実行終了後７秒以内に、次の録画予約がない場合、または、ＩＥＥＥ１３９４録画予約実行終了後７秒以内に、次の録画予約があっても、その放送受信対象ＴＶが、同じＩＥＥＥ１３９４接続機器か、あるいは、同じＣＥＣ物理アドレスのＨＤＭＩ接続機器でない場合、ＴＶ２０のＧＵＩＤに対応する物理アドレスがメモリ１９に記憶されていれば、ＣＥＣライン４２から電源オフのＣＥＣコマンドを送信する。
【０１０２】
図１３は、本発明のＡＶシステムによるＩＥＥＥ１３９４とＨＤＭＩ同時接続の認識シーケンスの他の例を説明するための図である。まず、レコーダ１０は、起動時またはＨＤＭＩ接続時において、ＣＥＣ物理アドレス決定後に、ＣＥＣコマンドによるＧＵＩＤ要求をＴＶ２０へ送信する（Ｓ１３１）。ＴＶ２０は、このＣＥＣコマンドを受けて、ＧＵＩＤを含む返答をＣＥＣコマンドとしてレコーダ１０へ送信する（Ｓ１３２）。そして、レコーダ１０は、ＣＥＣ物理アドレス（２ｂｙｔｅ）とＩＥＥＥ１３９４ＧＵＩＤ（８ｂｙｔｅ）のマッピングテーブルをメモリ１９に記録する（Ｓ１３３）。
【０１０３】
図１４は、本発明のＡＶシステムによるＩＥＥＥ１３９４録画予約実行開始時のＣＥＣによる電源オンシーケンスの他の例を説明するための図である。本例ではＴＶ２０が図１２（Ｂ）に示したスタンバイモードにあるものとして説明する。なお、一般的にＴＶは起動してから安定（放送受信可能な状態）するまでに、ある程度の時間がかかる。ここではその時間を最大７秒とする。
【０１０４】
まず、レコーダ１０は、ＩＥＥＥ１３９４録画予約実行開始７秒前に（Ｓ１４１）、今回使おうとしているＩＥＥＥ１３９４ＧＵＩＤに対応するＣＥＣ物理アドレスがメモリ１９に記憶されているかどうか判定する（Ｓ１４２）。ＣＥＣ物理アドレスが記憶されている場合（ＹＥＳの場合）、ＴＶ２０の電源状態を確認及びその電源状態を記録し（Ｓ１４３）、ＣＥＣコマンドによる電源オン要求をＴＶ２０へ送信する（Ｓ１４４）。ＴＶ２０は、このＣＥＣコマンドを受けて、電源をオンする（Ｓ１４５）。この後、レコーダ１０はＳ１４７におけるＩＥＥＥ１３９４のリンク開始まで７秒待機する（Ｓ１４６）。
【０１０５】
また、レコーダ１０は、上記Ｓ１４２において、ＣＥＣ物理アドレスが記憶されていない場合（ＮＯの場合）、そのまま次の処理（Ｓ１４７）へ移行する。レコーダ１０は、ＣＥＣ物理アドレスがない場合あるいはＣＥＣ物理アドレスがあり７秒待機した後、レコーダ１０とＴＶ２０間でＩＥＥＥ１３９４のリンクが張られると（Ｓ１４７）、ＡＶＣコマンドによる電源状態把握要求をＴＶ２０へ送信し、ＴＶ２０はこのＡＶＣコマンドに返答する（Ｓ１４８）。レコーダ１０は、ＴＶ２０からのＡＶＣコマンドを受けて、ＴＶ２０が電源オン状態かどうかを判定する（Ｓ１４９）。
【０１０６】
レコーダ１０は、上記Ｓ１４９において、ＴＶ２０が電源オン状態にある場合（ＹＥＳの場合）、ＴＶにサブチューナユニット（これはＩＥＥＥ１３９４のＡＶＣコマンドでチューナを制御するために必要な機能）があるかどうかを判定する（Ｓ１５１）。一方、ＴＶ２０が電源オン状態でない場合（ＮＯの場合）、ＡＶＣコマンドによる電源オン要求をＴＶ２０へ送信する（Ｓ１５０）。
【０１０７】
そして、レコーダ１０は、上記Ｓ１５１において、ＴＶにサブチューナユニットがある場合（ＹＥＳの場合）、ＡＶＣコマンドによる選局（ｃｈ切替）要求をＴＶ２０へ送信する（Ｓ１５２）。また、ＴＶにサブチューナユニットがない場合（ＮＯの場合）、ＨＤＭＩのＣＥＣコマンドによる選局要求をＴＶ２０へ送信する（Ｓ１５３）。
【０１０８】
ＴＶ２０は、レコーダ１０からの選局指示に従って、選局を行い（Ｓ１５４）、ＩＥＥＥ１３９４のＴＳ（映像・音声信号）をレコーダ１０へ送信する（Ｓ１５５）。レコーダ１０は、このＩＥＥＥ１３９４のＴＳを受けて、録画開始する（Ｓ１５６）。
【０１０９】
図１５は、本発明のＡＶシステムによるＩＥＥＥ１３９４録画予約実行終了時のＣＥＣによる電源オフシーケンスの他の例を説明するための図である。まず、レコーダ１０は、ＩＥＥＥ１３９４録画予約の終了時刻になると（Ｓ１６１）、７秒以内に次の録画予約（ＩＥＥＥ１３９４）があるかどうかを判定する（Ｓ１６２）。
【０１１０】
レコーダ１０は、上記Ｓ１６２において、次の録画予約がある場合（ＹＥＳの場合）、今回と次の予約のＧＵＩＤが同じかどうかを判定する（Ｓ１６３）。同じ場合（ＹＥＳの場合）、ＴＶ２０の停止をスキップし、一方、異なる場合（ＮＯの場合）、ＡＶＣコマンドによる電源オフ要求をＴＶ２０へ送信する（Ｓ１６４）。また、レコーダ１０は、上記Ｓ１６２において、次のＩＥＥＥ１３９４録画予約がない場合（ＮＯの場合）、そのまま次の処理（Ｓ１６４）へ移行する。
【０１１１】
そして、レコーダ１０は、ＩＥＥＥ１３９４ＧＵＩＤに対応するＣＥＣ物理アドレスがあるかどうかを判定し（Ｓ１６５）、ＣＥＣ物理アドレスがある場合（ＹＥＳの場合）、ＣＥＣコマンドによる電源オフ要求をＴＶ２０へ送信する（Ｓ１６６）。
【０１１２】
ＴＶ２０は、このＣＥＣコマンドを受け取ると、７秒以内に視聴予約などにより起動状態になる必要があるかどうかを判定し（Ｓ１６７）、起動状態になる必要がない場合（ＮＯの場合）、電源をオフしてスタンバイモードへ移行する（Ｓ１６８）。また、ＴＶ２０は、上記Ｓ１６７において、起動状態になる必要がある場合（ＹＥＳの場合）、電源をオフせずに次の処理へ移行する。また、レコーダ１０は、上記Ｓ１６５において、ＣＥＣ物理アドレスがない場合（ＮＯの場合）、電源オフ要求のＣＥＣコマンドを送らずに次の処理待ち状態へ移行する。
【０１１３】
図１６は、本発明のＡＶシステムによるＩＥＥＥ１３９４操作パネルの電源オン／オフ時のＣＥＣによる電源オン／オフシーケンスの他の例を説明するための図である。本例ではＴＶ２０が図１２（Ｂ）に示したスタンバイモードにあるものとして説明する。
【０１１４】
まず、レコーダ１０は、ＩＥＥＥ１３９４操作パネルから電源オンが指示されると（Ｓ１７１）、今回使おうとしているＩＥＥＥ１３９４ＧＵＩＤに対応するＣＥＣ物理アドレスがメモリ１９に記憶されているかどうか判定する（Ｓ１７２）。ＣＥＣ物理アドレスが記憶されている場合（ＹＥＳの場合）、ＣＥＣコマンドによる電源オン要求をＴＶ２０へ送信する（Ｓ１７３）。ＴＶ２０は、このＣＥＣコマンドを受けて、電源をオンする（Ｓ１７４）。この後、レコーダ１０はＳ１７６におけるＩＥＥＥ１３９４のリンク開始まで７秒待機する（Ｓ１７５）。
【０１１５】
また、レコーダ１０は、上記Ｓ１７２において、ＣＥＣ物理アドレスが記憶されていない場合（ＮＯの場合）、そのまま次の処理（Ｓ１７６）へ移行する。そして、レコーダ１０は、ＣＥＣ物理アドレスがない場合あるいはＣＥＣ物理アドレスがあり７秒待機した後、レコーダ１０とＴＶ２０間でＩＥＥＥ１３９４のリンクが張られると（Ｓ１７６）、ＡＶＣコマンドによる電源状態把握要求をＴＶ２０へ送信し、ＴＶ２０はこのＡＶＣコマンドに返答する（Ｓ１７７）。レコーダ１０は、ＴＶ２０からのＡＶＣコマンドを受けて、ＴＶ２０が電源オン状態かどうかを判定する（Ｓ１７８）。
【０１１６】
レコーダ１０は、上記Ｓ１７８において、ＴＶ２０が電源オン状態にある場合（ＹＥＳの場合）、そのまま次の処理（Ｓ１８０）へ移行し、一方、ＴＶ２０が電源オン状態でない場合（ＮＯの場合）、ＡＶＣコマンドによる電源オン要求をＴＶ２０へ送信する（Ｓ１７９）。
【０１１７】
レコーダ１０は、ＩＥＥＥ１３９４操作パネルから電源オフが指示されると（Ｓ１８０）、ＡＶＣコマンドによる電源オフ要求をＴＶ２０へ送信する（Ｓ１８１）。そして、レコーダ１０は、ＩＥＥＥ１３９４ＧＵＩＤに対応するＣＥＣ物理アドレスがあるかどうかを判定し（Ｓ１８２）、ＣＥＣ物理アドレスがある場合（ＹＥＳの場合）、ＣＥＣコマンドによる電源オフ要求をＴＶ２０へ送信する（Ｓ１８３）。
【０１１８】
ＴＶ２０は、このＣＥＣコマンドを受け取ると、７秒以内に視聴予約などにより起動状態になる必要があるかどうかを判定し（Ｓ１８４）、起動状態になる必要がない場合（ＮＯの場合）、電源をオフしてスタンバイモードへ移行する（Ｓ１８５）。また、ＴＶ２０は、上記Ｓ１８４において、起動状態になる必要がある場合（ＹＥＳの場合）、電源をオフせずに次の処理へ移行する。また、レコーダ１０は、上記Ｓ１８２において、ＣＥＣ物理アドレスがない場合（ＮＯの場合）、電源オフ要求のＣＥＣコマンドを送らずに次の処理待ち状態へ移行する。
【０１１９】
以上説明したように、本発明によれば、テレビとレコーダなどのＡＶ機器間がＩＥＥＥ１３９４とＨＤＭＩなどの２つ以上のインタフェースで接続されたＡＶシステムにおいて、消費電力の少ないＣＥＣによる待機状態とし、ＩＥＥＥ１３９４による録画予約機能等を実行する際に、ＣＥＣコマンドにより電源オンできるため、ＡＶ機器の待機時消費電力を低減することができる。
【図面の簡単な説明】
【０１２０】
【図１】本発明が適用可能なＡＶシステムの構成例を示す図である。
【図２】図１に示したＡＶシステムの構成例を説明するためのブロック図である。
【図３】本発明の第１の実施形態に係るＡＶ機器のスタンバイモードにおける待機時通電範囲を説明するためのブロック図である。
【図４】本発明のＡＶシステムによる録画予約シーケンスの一例を説明するための図である。
【図５】本発明のＡＶシステムによるＩＥＥＥ１３９４とＨＤＭＩ同時接続の認識シーケンスの一例を説明するための図である。
【図６】本発明のＡＶシステムによるＩＥＥＥ１３９４録画予約実行開始時のＣＥＣによる電源オンシーケンスの一例を説明するための図である。
【図７】本発明のＡＶシステムによるＩＥＥＥ１３９４録画予約実行終了時のＣＥＣによる電源オフシーケンスの一例を説明するための図である。
【図８】本発明のＡＶシステムによるＩＥＥＥ１３９４録画予約実行終了時のＣＥＣによる電源オフシーケンスの一例を説明するための図で、図７の続きである。
【図９】本発明のＡＶシステムによるＨＤＭＩ録画予約実行終了時のＣＥＣによる電源オフシーケンスの一例を説明するための図である。
【図１０】本発明のＡＶシステムによるＨＤＭＩ録画予約実行終了時のＣＥＣによる電源オフシーケンスの一例を説明するための図で、図９の続きである。
【図１１】本発明のＡＶシステムによるＩＥＥＥ１３９４操作パネルの電源オン／オフ時のＣＥＣによる電源オン／オフシーケンスの一例を説明するための図である。
【図１２】本発明の第２の実施形態に係るＡＶ機器のスタンバイモードにおける待機時通電範囲を説明するためのブロック図である。
【図１３】本発明のＡＶシステムによるＩＥＥＥ１３９４とＨＤＭＩ同時接続の認識シーケンスの他の例を説明するための図である。
【図１４】本発明のＡＶシステムによるＩＥＥＥ１３９４録画予約実行開始時のＣＥＣによる電源オンシーケンスの他の例を説明するための図である。
【図１５】本発明のＡＶシステムによるＩＥＥＥ１３９４録画予約実行終了時のＣＥＣによる電源オフシーケンスの他の例を説明するための図である。
【図１６】本発明のＡＶシステムによるＩＥＥＥ１３９４操作パネルの電源オン／オフ時のＣＥＣによる電源オン／オフシーケンスの他の例を説明するための図である。
【符号の説明】
【０１２１】
１０…ＡＶ機器（レコーダ）、１１…ＨＤＭＩトランスミッタ、１２，２１…ＨＯＳＴ ＣＰＵ、１３…フロントマイコン、１４，２４…ＣＥＣ Ｉ／Ｆ、１５，２５…ＩＥＥＥ１３９４送受信部、１６，２６…リモコン受光部、１７，２７…ＨＤＭＩコネクタ、１８，２８…ＩＥＥＥ１３９４コネクタ、１９，２９…メモリ、２０…ＡＶ機器（ＴＶ）、２２…ＨＤＭＩレシーバ、２３…モニターマイコン、３０…ＩＥＥＥ１３９４ケーブル、４０…ＨＤＭＩケーブル、４１…ＴＭＤＳライン、４２…ＣＥＣライン。
【図１】
2008034907.tif 000003
【図２】
2008034907.tif 000004
【図３】
2008034907.tif 000005
【図４】
2008034907.tif 000006
【図５】
2008034907.tif 000007
【図６】
2008034907.tif 000008
【図７】
2008034907.tif 000009
【図８】
2008034907.tif 000010
【図９】
2008034907.tif 000011
【図１０】
2008034907.tif 000012
【図１１】
2008034907.tif 000013
【図１２】
2008034907.tif 000014
【図１３】
2008034907.tif 000015
【図１４】
2008034907.tif 000016
【図１５】
2008034907.tif 000017
【図１６】
2008034907.tif 000018